(57)【特許請求の範囲】
【請求項１】
長方形の紙片に紙片を二分する折畳み線が形成され、前記折畳み線を境にして片側が情報記載面で、残る片側が記載された情報を保護するための保護構造部となっている帳票であって、
前記折畳み線は、長方形の短辺に平行に、前記保護構造部と前記情報記載面の面積が等しくなる位置に又は情報記載面の面積が大きくなる位置に設けられ、
前記情報記載面には、電子ペンにより記載情報を取得するためのドットパターンが形成され、
前記保護構造部には紙片基材上に接着剤層，剥離剤層，透明材料層，粘着剤層，剥離紙が順次形成され、
前記剥離剤層と前記透明材料層との間、または、前記透明材料層と前記粘着剤層の間に、赤外線吸収剤が混入された透明な印刷インキによる印刷が施されていることを特徴とする記載情報保護構造部付き帳票。
【請求項２】
長方形の紙片に紙片を二分する折畳み線が形成され、前記折畳み線を境にして片側が情報記載面で、残る片側が記載された情報を保護するための保護構造部となっている帳票であって、
前記折畳み線は、長方形の短辺に平行に、前記保護構造部と前記情報記載面の面積が等しくなる位置に又は情報記載面の面積が大きくなる位置に設けられ、
前記情報記載面には、電子ペンにより記載情報を取得するためのドットパターンが形成され、
前記保護構造部には紙片基材上に接着剤層，剥離剤層，透明材料層，粘着剤層，剥離紙が順次形成され、
前記透明材料層，前記粘着材料層の何れかに透明な赤外線吸収剤が混入されていることを特徴とする記載情報保護構造部付き帳票。
【請求項３】
請求項１または２に記載の記載情報保護構造部付き帳票において、
保護構造部側の紙片基材には、紙片基材を貫通する状態で折畳み線と平行な切込みが形
成されていることを特徴とする記載情報保護構造部付き帳票。
【発明の詳細な説明】
【技術分野】
【０００１】
本発明は、記載情報保護構造部付き帳票に関し、電子ペンを使用して記載情報を先に送信し、その証として提出する申込帳票などの記載情報保護構造部付き帳票に関する。
【背景技術】
【０００２】
従来、申込書等を提出する場合、所定の印刷が施された申込用紙に申込者が筆記具で必要事項を記入して提出していた。
このような分野に対して、近年、便利な入力システムが提供されている。
これは、スウェーデンの「Ａｎｏｔｏ社」が開発した入力システムで、「アノトペン」と呼ばれる電子ペンと、電子ペン読取り専用ドットパターン（以下、単にドットパターンともいう）が印刷された電子ペン書き込み用専用用紙（以下、電子ペン記載用紙という）によって記載された情報をその場で電子化情報とし通信端末に送信するシステムである。
電子ペンは、通常の筆記部と、筆記部によって用紙の記載面に記載された情報を用紙の記載面に印刷されたドットパターン情報として読み取るための撮像部と、読み取ったドットパターン情報を送信するための通信部等を搭載している。
記載者が電子ペン記載用紙の上に文字などを記載すると、ペンの移動に伴って電子ペンの撮像部が電子ペン記載用紙上に印刷されたドットパターンを読み取り、記載者が記載した文字などの入力情報を電子情報として記憶する。
電子ペンが記憶した入力情報は、前述の通信部により、電子ペンから近くのパーソナルコンピュータや携帯電話などの通信端末に送信される。
電子ペンを使用する前述の入力システムでは、電子ペンがキーボードの役割を果たすのであるが、記載者は従来どおりの感覚で申し込み等を行うことができる。
【０００３】
前述の「Ａｎｏｔｏ社」の入力システムでは、ドットパターンが印刷された電子ペン記載用紙が使用されるが、前述のドットパターンは、分野別に割り当てられて使用されている。
また、このシステムでは入力情報の入力を、電子ペンによる微細なドットパターン読み取りによって行われるために、ドットパターンの印刷品質，印刷される基材の選定に関する管理が厳密に行われる。
【０００４】
金融機関などからの貸付などを受ける各種申込書などにおいて、取引内容などの他人には知られたくない情報を隠蔽し、伝達するための情報隠蔽葉書作成用紙片について、作成後の葉書側端の汚れを防止し、その剥離展開を容易とする「情報隠蔽葉書作成用紙片」が提供されている（例えば、特許文献１参照）。
前記 特許文献１によれば、折り用ミシン１１を介し上片１、下片２からなる二折葉書について、該上片１の一面に、透視できしかも層間が剥離可能に重合した接合材４１ａ，４１ｂの両側に透明な粘着剤４２ａ，４２ｂを有し、かつ前記一面の対向面に剥離紙４３を設けてなる介在シートを貼付する。該介在シート側面の開口部となる顕出部分Ｅには、前記剥離紙の前縁部４４を延長させて覆い保護するというものである。
【０００５】
【特許文献１】特開平１０−２６４５５９
【発明の開示】
【発明が解決しようとする課題】
【０００６】
会員申し込みを行う場合、また、通販などで商品を購入する場合に申込者の氏名や住所，勤務先名，電話番号，メールアドレスなどを登録しなければならない。
この際、最も簡単な方法は、所定の葉書にこれらの個人情報を記載して投函する方法である。しかし、前述のような情報は通信文と異なり個人情報に属するために、他人に公開したくない情報である。そのために昨今では、記載情報の上に再剥離可能な情報保護構造（不透明な情報遮蔽ラベル）を貼付して送付する方法が一般的に利用されている。
そこで本発明は、個人情報を一刻も早く申込先に伝える必要があるときに、また、電子ペンを使用して記載情報を先に送信し、その証として記載情報を葉書などで送付する必要があるときの帳票として、「なり済ましによる記載情報の改竄」を防止する手段を備えた記載情報保護構造部付き帳票を提供することを目的とするものである。
【課題を解決するための手段】
【０００７】
前記課題の目的を達成するために、本発明の記載情報保護構造部付き帳票の第一の態様は、長方形の紙片に紙片を二分する折畳み線が形成され、前記折畳み線を境にして片側が情報記載面で、残る片側が記載された情報を保護するための保護構造部となっている帳票であって、前記折畳み線は、長方形の短辺に平行に、前記保護構造部と前記情報記載面の面積が等しくなる位置に又は情報記載面の面積が大きくなる位置に設けられ、前記情報記載面には、電子ペンにより記載情報を取得するためのドットパターンが形成され、前記保護構造部には紙片基材上に接着剤層，剥離剤層，透明材料層，粘着剤層，剥離紙が順次形成され、剥離剤層と透明材料層との間、または、透明材料層と粘着剤層の間に、赤外線吸収剤が混入された透明な印刷インキによる印刷が施されていることを特徴とするものである。
【０００９】
また、本発明第二の態様は、長方形の紙片に紙片を二分する折畳み線が形成され、前記折畳み線を境にして片側が情報記載面で、残る片側が記載された情報を保護するための保護構造部となっている帳票であって、前記折畳み線は、長方形の短辺に平行に、前記保護構造部と前記情報記載面の面積が等しくなる位置に又は情報記載面の面積が大きくなる位置に設けられ、前記情報記載面には、電子ペンにより記載情報を取得するためのドットパターンが形成され、前記保護構造部には紙片基材上に接着剤層，剥離剤層，透明材料層，粘着剤層，剥離紙が順次形成され、透明材料層，粘着材料層の何れかに透明な赤外線吸収剤が混入されていることを特徴とするものである。
【００１０】
また、第三の態様は、第一または第二の態様において、保護構造部側の紙片基材には、紙片基材を貫通する状態で折畳み線と平行な切込みが形成されていることを特徴とするものである。
【発明の効果】
【００１１】
本発明の第一の態様のように、剥離剤層と透明材料層との間、または、透明材料層と粘着剤層の間に、赤外線吸収剤が混入された透明な印刷インキによる印刷が施されたことによって、記載された個人情報が送付途中で改竄されることがなく安心して送付することができる。
特に、個人情報を葉書などで送付する場合に好適である。
また、第二の態様のように、透明材料層，粘着材料層の何れかに透明な赤外線吸収剤が混入されたことによっても、記載された個人情報が送付途中で改竄されることがなく安心して送付することができる。
また、第三の態様のように、第一または第二の態様において、保護構造部側の紙片基材には、紙片基材を貫通する状態で折畳み線と平行な切込みが形成されたことによって、送付先で記載情報を確認する際に容易に保護紙片を剥がすことができる。
【発明を実施するための最良の形態】
【００１２】
以下、図面を参照して、本発明の記載情報保護構造部付き帳票について説明する。
図１は、本発明の記載情報保護構造部付き帳票の一例について説明するための図，図２は、図１の裏面について説明するための図，図３は、図１のＡ−Ａ線断面の一例について説明するための図，図４は、図１のＡ−Ａ線断面の他の一例について説明するための図，図５は、折畳み部で折り畳まれて貼り合わされた記載情報保護構造部付き帳票について説明するための図，図６は、電子ペンの一例について説明するための図，図７は、電子ペン読取り専用ドットパターンについて説明するための図，である。
【００１３】
図１，図２を参照して、本発明の記載情報保護構造部付き帳票の一例について、申し込み葉書の例で説明する。
図１に示すように、本発明の記載情報保護構造部付き帳票１は、長方形の紙片に紙片を二分する折畳み線４が切込みなどによって形成されている。前記折畳み線４を境にして片側が情報記載面１１となっていて、残る片側が前記情報記載面１１に記載された情報を保護するための保護構造部１２となっている。
前記折畳み線４は、長方形の情報保護構造部付き帳票１の短辺に平行に設けられており、前記保護構造部１２と前記情報記載面１１の面積が等しくなる位置、または、情報記載面の面積が大きくなる位置、即ち長方形のセンターより保護構造部１２寄りに設けられている。
【００１４】
前記情報記載面１１には、電子ペンにより記載情報を取得するためのドットパターン２が形成され、前記保護構造部１２には、図示しないが、紙片基材上に接着剤層，剥離剤層，透明材料層，粘着剤層，剥離紙が順次積層されている。
また、図示しないが、剥離剤層と透明材料層との間、または、透明材料層と粘着剤層の間に、送付途中で記載情報を保護するために、また、記載情報が改竄されないように、赤外線吸収剤が混入された透明な印刷インキによる印刷が施されている。
【００１５】
また、前述の赤外線吸収剤が混入された透明な印刷インキによる印刷を行うことができない場合に、同様の改竄防止効果を付与するために、前述の透明材料層，粘着材料層の何れかに透明な赤外線吸収剤を混入して形成する。
【００１６】
また、図２に示すように、保護構造部１２側の紙片基材には、紙片基材を貫通する状態で折畳み線４と平行な切込み４０が形成されている。
この切込み４０は、保護構造部１２の剥離紙を剥がして折畳み線で折畳み、個人情報が記載された情報記載面１１に貼り合わせ、葉書として送付先に送付された時に、送付先で記載情報を確認する際に、切込み４０から紙片基材を剥がし易いように設けられるものである。
【００１７】
図１に示す情報記載面１１には、ドットパターン印刷領域に情報記載欄１１１が設けられ、記載する情報の項目や、電子ペンによって記載された情報を送信するための送信ボックス３などが印刷される。
情報記載欄１１１の罫線や文字，送信ボックス３，ドットパターン２の内、少なくともドットパターン２は赤外線吸収インキによって印刷される。
また、記載された情報を保護するための保護構造部１２の、最上層の剥離紙には「この紙片（剥離紙）を剥がし、中央部折畳み部で折畳み、この面を申し込み情報記載面に貼り合わせ送付してください」等の注意文言１２０が普通の印刷インキ、または、赤外線吸収インキで印刷されている。
【００１８】
長方形の記載情報保護構造部付き帳票１を二分する折畳み線４が、図１のセンター（Ｂ＝Ｃの位置）に設けられる場合は、情報記載面１１全面が被覆される状態で貼り合わされる。
長方形の記載情報保護構造部付き帳票１を二分する折畳み線４が、図１のセンターより「Ｃ」側、即ち「Ｂ＞Ｃ」の位置に設けられる場合は、情報記載面１１の情報記載欄１１１のみが被覆される状態で貼り合わされる。
【００１９】
図２に示す保護構造部１２側の紙片基材に形成された切込み４０は、折畳み線４の近傍に設けられ、切込み４０の折畳み線４の反対側（図２の切込み４０の右側）には、貼り合わされた後、記載情報が透けて見えないように濃い色の印刷インキにより地紋７などが印刷される。
折畳み線４を境にしてもう一方の側（図２の折畳み線４の左側）には、送付先の住所などの非保護情報６などが印刷される。
【００２０】
ここで、電子ペンと、電子ペン読取り専用ドットパターンを使用する「Ａｎｏｔｏ社」のシステムについて説明する。
電子ペンは、通常の筆記部と、ドットパターンを読み取るための撮像部と、ドットパターン情報を送受信するための送受信部（以下、通信部という）等を搭載している。
例えば、記載者が情報記載欄に文字などを記載すると、ペンの移動に伴って電子ペンに内蔵された撮像部が、ドットパターンによって表示された座標情報を読み取り、接続された通信端末に読み取った座標情報を通信部から送信する。
通信端末は、受信した前記座標情報をネットワークに接続された電子ペンシステム管理サーバに送信する。
電子ペンシステム管理サーバは、受信した座標情報をテキストデータに変換し、利用者側のサーバや、前記通信端末に返信する。
通信端末内に電子ペンシステム管理サーバ機能が内蔵されている場合は、前記座標情報は、電子ペンシステム管理サーバ機能によってテキストデータに変換される。
【００２１】
図６を参照して、電子ペンについて説明する。
電子ペン５は、インクカートリッジ５８を伴った筆記部５６，ドットパターンを読み取るデジタルカメラによる撮像部５５，デジタルカメラで読み取られた筆記情報（ドットパターンの座標情報）を記憶する記憶部５３，携帯通信端末に座標情報を送信する通信部５２，これらの機能を制御する制御部５４，電子ペン用の圧力センサ５７，図示しないが電源部で構成され、これらを電子ペン５の筐体５１の内部に搭載している。
電子ペン５は、電子ペン記載用紙に印刷されたドットパターンを撮像部５５で読み取って記憶部５３で記憶し、図示しないが、電子ペンのユニークな識別情報などと共に通信部５２から接続された通信端末に送信する。
電子ペンの通信部５２は、ＵＳＢ（Ｕｎｉｖｅｒｓａｌ  Ｓｅｒｉａｌ  Ｂｕｓ），Ｂｌｕｅｔｏｏｔｈ（Ｔｈｅ  Ｂｌｕｅｔｏｏｔｈ  ＳＩＧ，Ｉｎｃ．の登録商標）何れにも対応できるようになっている。
また、電子ペン５の筐体５１に組み込まれた筆記部５６は、単なる筆記具として使用することもできるようになっている。
【００２２】
筆記部５６は、筆記情報を可視状態で記載部に残す役割の他に、デジタルカメラによる撮像部５５と、ドットパターン印刷面との距離を一定にする役割を担っている。
筆記部５６が電子ペン筐体５１に装着されたときに、インクカートリッジ５８側の先端が、電子ペンの筐体５１に取り付けられた電子ペン用の圧力センサ５７に接触するようになっている。
この圧力センサ５７は、情報の記載が開始されることを制御部５４に伝える機能と、筆圧の強弱を認識する機能を備えている。
また、インクカートリッジ５８の残量を確認する場合、または、インクを充填する場合は、例えば、筆記部５６を電子ペン筐体５１の先端から引き抜いてインクの残量確認、または、インクの充填を行う。
【００２３】
図７を参照して、電子ペン読取り専用ドットパターンについて説明する。
図に示す縦横の仮想線は、説明し易くするために記載しており、実際には印刷されていない。
電子ペン読取り専用ドットパターン２００の各ドットは、０．３ｍｍ間隔で形成された直角に交わる縦横の仮想線の交点近傍に、それぞれ異なる４方向の何れかに配置され、形成されている。
「Ａｎｏｔｏ社」のシステムでは、３６個のドット（約４ｍｍ2の内側に印刷されたドット群）を１単位情報として扱っている。
【００２４】
電子ペンで、電子ペン記載用紙上に文字等を記載すると、ペン先がどの位置をなぞっているか、その近傍に印刷されたドットパターンの座標情報を読み取って、ペン先が移動した単位情報の軌跡を電子ペンの記憶部に記憶するようになっている。
電子ペン記載用紙の所定部（前述の「送信ボックス」）を電子ペンでマークをすると、電子ペン記載用紙に記載した前記座標情報を電子ペンから通信端末に送信するようになっている。
「Ａｎｏｔｏ社」のシステムでは、一つの利用分野で同一のドットパターンが利用されないように管理されている。
【００２５】
次に、前述の電子ペンシステム管理サーバ（図示せず）について説明する。
電子ペンシステム管理サーバは、多くの場合、ＰＬＳサーバと、ＡＳＨサーバに分けられて使用される。
通信端末から送信された座標情報は、まず、ＰＬＳ（Ｐａｐｅｒ  Ｌｏｏｋ−ｕｐ  Ｓｅｒｖｉｃｅ）と呼ばれる電子ペンシステム管理サーバに送信される。
ＰＬＳサーバは、受信したドットパターンの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）と座標情報を通信端末に送信する。電子ペンシステム管理サーバ機能は、通信端末内に組み込まれて使用されることもある。
【００２６】
次に、前述の通信端末（図示せず）について説明する。
通信端末は、例えば、キーボードなどの入力手段，インターネットに接続されて入力情報を送受信する送受信手段，ディスプレイなどの表示手段，入力情報や読み込んだ情報を保存する保存手段とを有する携帯電話，ＰＤＡ（Ｐｅｒｓｏｎａｌ  Ｄｉｇｉｔａｌ  Ａｓｓｉｓｔａｎｃｅ），パーソナルコンピュータのような装置である。
通信端末は、前述のように、電子ペンから送信された情報を電子ペンシステム管理サーバに送信し、テキストデータなどに変換された情報として受信し、利用する。
【００２７】
図３を参照して、図１のＡ−Ａ線断面の一例について説明する。
記載情報保護構造部付き帳票１の紙片基材１０には、折畳み線４がミシン目状の、例えば、切込みによって形成され、その保護構造部側には記載情報を確認するための直線状の切込み４０が形成される。
この切込み４０は、必ずしも必要ではなく、保護構造部１２が記載された記載情報面に貼り合わされた後で、記載情報を確認する際に保護構造部１２側の紙片基材１０端部（図示せず）で引き剥がして確認することもできる。
【００２８】
保護構造部１２の剥離紙１２１の表出面には、注意文言１２０等が印刷されている。
剥離紙１２１の下側には、粘着剤層１２２，透明材料層１２３，剥離剤層１２４，接着剤層１０１が順次形成され、積層されている。 剥離剤層１２４，接着剤層１０１は、順番が逆になっていてもよい。
透明材料層１２３は、透明なプラスチックのフィルムであっても、コーティングされた透明な樹脂であってもよい。
紙片基材１０の裏側には、地紋７や、図示しないが、送付先情報などの非保護情報が印刷されている、
記載情報面（図示せず）に保護構造部１２が貼り合わされた後で、記載情報を確認するために接着剤層１０１と剥離剤層１２４の間で引き剥がされる。
前記送付途中で不正者が記載情報を改竄しようとしたときに、粘着剤層１２２又は透明材料層１２３に混入された透明な赤外線吸収材料によって、紙片基材１０の上に印刷されたドットパターン２が電子ペンで正しく読み取ることができないようになっている。
【００２９】
図４を参照して、図１のＡ−Ａ線断面の他の一例について説明する。
図３で説明したのと同様、紙片基材１０には、折畳み線４がミシン目状の、例えば、切込みによって形成され、その保護構造部側には、紙片基材を剥がし易くするための直線状の切込み４０が形成されている。
【００３０】
保護構造部１２の剥離紙１２１の表出面には、注意文言１２０等が印刷されている。
剥離紙１２１の下側には、粘着剤層１２２，透明材料層１２３，赤外吸収インキによる印刷層１２５，剥離剤層１２４，接着剤層１０１が順次形成され、積層されている。 剥離剤層１２４，接着剤層１０１は、順番が逆になっていてもよい。
透明材料層１２３は、透明なプラスチックのフィルムであっても、コーティングされた透明な樹脂であってもよい。
紙片基材１０の裏側には、地紋７や、図示しないが、送付先情報などの非保護情報が印刷されている、
【００３１】
保護構造部１２と記載情報面（図示せず）が貼り合わされた後で、例えば、記載情報保護構造部付き帳票が送付されて、記載情報が確認される際に接着剤層１０１と剥離剤層１２４の間で引き剥がされる。
前記送付途中で不正者が記載情報を改竄しようとしたときに、透明な赤外吸収インキによる印刷層１２５があるために、紙片基材１０の上に印刷されたドットパターン２が電子ペンで正しく読み取ることができない。透明な赤外吸収インキによる印刷は、ベタ状パターンでも、網点パターンでもよい。
【００３２】
図５を参照して、折畳み部で折り畳まれて貼り合わされた記載情報保護構造部付き帳票について説明する。
ａ図は、図３で説明した記載情報保護構造部付き帳票の剥離紙１２１が剥がされ、折畳み線４で折り畳まれ、情報記載面に保護構造部の粘着剤１２２が貼り合わされた状態を示している。
情報記載欄が狭い場合は、保護構造部が数字「８」で図示した位置に紙片の端部が位置する状態で貼り合わされる。
ａ図に示した貼り合わせ物の切込み４０の部分で紙片基材１０を剥がすと、紙片基材１０は、接着剤層１２４を伴って剥離剤層１２３の境界から剥がれ、ｂ図に示す状態になる。
ｂ図の矢印の方向からドットパターン面を見たときに、粘着剤層１２２，透明材料層１２３，剥離剤層１２４を介して、ドットパターン２上に記載された記載情報（図示せず）を視認することができる。
ｂ図で、矢印の下の剥離剤の上から電子ペンで情報を記載して改竄しようとしても、粘着剤層１２２又は透明材料層１２３に混入された赤外線吸収剤により邪魔されて、赤外線吸収インキにより印刷された正しいドットパターン情報を読み取ることができず、記載された情報を改竄することができない。
【００３３】
（材料）
図１，図４を一部参照して、本発明の記載情報保護構造部付き帳票に使用される材料の一例について説明する。
紙片基材１０として、坪量６４ｇ／ｍ2〜１６０ｇ／ｍ2の赤外線を吸収する物質を含まない模造紙，上質紙，純白ロール紙，コピー紙，タイプライター紙，トレーシングペーパー，複写用紙、及び、各種コート紙，クラフト紙等から選択して使用する。
長方形の記載情報保護構造部付き帳票１を二分する折畳み線４が、図１のセンターより「Ｃ」側、即ち「Ｂ＞Ｃ」の位置に設けられる場合は、（葉書特性を付与させるために）坪量１６０ｇ／ｍ2以上の紙を紙片基材１０として使用する。
また、Ｂ＝Ｃの場合は、同様の目的で坪量１３０ｇ／ｍ2以上（実際には、坪量１６０ｇ／ｍ2）の紙を紙片基材１０として使用する。
【００３４】
ドットパターン２，地紋７，注意文言１２０，赤外吸収インキによる印刷層に使用する
印刷インキとして、ドットパターン印刷及び赤外吸収インキによる印刷層に使用される印刷インキは赤外光領域の波長を吸収するインキを、それ以外の印刷に使用されるインキには赤外光領域の波長を反射するインキを使用する。印刷インキは、何れも市販されているオフセット用インキ、凸版用インキ、グラビア用インキ、何れを使用してもよい。
また、接着剤１０１としては、市販されている澱粉系，天然ゴム系，酢酸ビニル系，ＥＶＡ系，ポリウレタン系，ポリビニルアルコール系，アクリル系その他から選択し、製造装置に合せて使用する。
また、粘着剤１２２としては、市販の公知の粘着剤を使用することができる。
また、透明材料１２３としては、坪量３５ｇ／ｍ2のグラシン紙又は１２μｍのポリエステルフィルム、または、ポリウレタン系，ポリビニルアルコール系，アクリル系樹脂塗料のコーティング皮膜を形成して使用する。
また、剥離剤１２４として、ＵＶインキにシリコーンオイルを添加したものや、シリコーンアクリレートを添加したもの、オフセットインキ以外では、通常の白金触媒等を利用する熱硬化型剥離インキを使用する。
また、剥離紙１２１として、市販の薄手の剥離紙を使用する。
【産業上の利用可能性】
【００３５】
電子ペンを使用する各種申込帳票に、特に、申し込み葉書などに好適に利用できる。
【図面の簡単な説明】
【００３６】
【図１】本発明の記載情報保護構造部付き帳票の一例について説明するための図である。
【図２】図１の裏面について説明するための図である。
【図３】図１のＡ−Ａ線断面の一例について説明するための図である。
【図４】図１のＡ−Ａ線断面の他の一例について説明するための図である。
【図５】折畳み部で折り畳まれて貼り合わされた記載情報保護構造部付き帳票について説明するための図である。
【図６】電子ペンの一例について説明するための図である。
【図７】電子ペン読み取り専用のドットパターンについて説明するための図である。
【符号の説明】
【００３７】
１      記載情報保護構造部付き帳票
２，２００  ドットパターン
３      送信ボックス
４      折畳み線
５      電子ペン
６      非保護情報
７      地紋
１０    紙片基材
１１    情報記載面
１２    保護構造部
４０    切込み
５１    筐体
５２    通信部
５３    記憶部
５４    制御部
５５    撮像部
５６    筆記部
５７    圧力センサ
５８    インクカートリッジ
１０１  接着剤層，接着剤
１１１  情報記載欄
１２０  注意文言，注意文言印刷インキ，
１２１  剥離紙
１２２  粘着剤層，粘着剤，
１２３  透明材料層，透明材料
１２４  剥離剤層，剥離剤
１２５  赤外吸収インキによる印刷層
【図１】
0005082644.tif 000002
【図２】
0005082644.tif 000003
【図３】
0005082644.tif 000004
【図４】
0005082644.tif 000005
【図５】
0005082644.tif 000006
【図６】
0005082644.tif 000007
【図７】
0005082644.tif 000008